(57)【特許請求の範囲】
【請求項１】
記録再生装置のリール係合部が有する複数の係合ギア歯と係合可能な複数のギア歯を有し、磁気テープが巻回されうる磁気テープ用リールであって、
前記磁気テープが巻回されうる筒状部分と、前記複数のギア歯とを含むハブ部と、
前記複数のギア歯のうちの特定のギア歯と前記複数の係合ギア歯のうちの特定の係合ギア歯との位置合わせのために設けられ、凹部および凸部のうちの少なくとも一方からなる位置決め部と、を含む磁気テープ用リール。
【請求項２】
前記ハブ部は、前記筒状部分の一端に設けられた底部を有する略有底円筒体であり、
前記複数のギア歯は、前記底部の外表面に形成されている請求項１に記載の磁気テープ用リール。
【請求項３】
前記位置決め部は、前記底部の外表面に形成され、高さが前記複数のギア歯よりも高い前記凸部である請求項２に記載の磁気テープ用リール。
【請求項４】
前記位置決め部は、複数の前記凸部で構成されており、前記複数の凸部は、不規則に配置されている請求項３に記載の磁気テープ用リール。
【請求項５】
前記位置決め部は、複数の前記凸部で構成されており、前記複数の凸部は、相互に形状が異なる請求項３に記載の磁気テープ用リール。
【請求項６】
前記凸部は、前記ハブ部の前記底部の外表面を平面視したときに見える中心と各ギア歯とを通る直線上を避けて形成されている請求項２〜５のいずれかの項に記載の磁気テープ用リール。
【請求項７】
複数の前記位置決め部を含む請求項２又は３に記載の磁気テープ用リール。
【請求項８】
各位置決め部は、前記ハブ部の前記底部の外表面を平面視したときに見える中心と各ギア歯とを通る直線上を避けて形成されている請求項７に記載の磁気テープ用リール。
【請求項９】
前記ハブの外周から径方向に張り出したフランジをさらに含み、
前記位置決め部は、前記フランジに設けられている請求項１に記載の磁気テープ用リール。
【請求項１０】
請求項１に記載の磁気テープ用リールと、
前記磁気テープ用リールに巻回された磁気テープと、
前記磁気テープ用リールと前記磁気テープとを収容する空間を有し、前記磁気テープ用リールの前記複数のギア歯をその外に露出可能とする開口部を有するケースと、を含むテープカートリッジ。
【請求項１１】
前記ハブ部は、前記筒状部分の一端に設けられた底部を有する略有底円筒体であり、
前記複数のギア歯は、前記底部の外表面に形成されており、
前記位置決め部は、前記底部の外表面に形成され、高さが前記複数のギア歯よりも高い凸部であり、前記テープカートリッジを前記ケースの前記開口部が形成された壁の外表面と平行な方向から見た時に、見えないように形成されている請求項１０に記載のテープカートリッジ。
【請求項１２】
請求項１０に記載のテープカートリッジに情報を記録再生するための記録再生装置であって、
前記テープカートリッジを格納可能とする格納部と、
前記磁気テープに情報を記録可能とし、記録された情報を再生可能とする磁気ヘッドと、
前記磁気テープ用リールの前記複数のギア歯と係合可能な前記複数の係合ギア歯を有する前記リール係合部と、
前記リール係合部に設けられ、前記磁気テープ用リールの前記位置決め部と嵌合または緩嵌し得る対応位置決め部と、
前記リール係合部を回転可能とする回転機と、
前記リール係合部と前記回転機との間に配置されて、前記回転機による回転運動を前記リール係合部に伝達可能とし、上下動可能に前記回転機によって支持された回転軸と、
前記リール係合部を前記リール側へ付勢する付勢部とを含み、
前記対応位置決め部と前記位置決め部とを嵌合または緩嵌させると、前記特定のギア歯と前記特定の係合ギア歯との係合がなされるように、前記対応位置決め部が前記リール係合部に設けられている記録再生装置。
【請求項１３】
請求項１０に記載のテープカートリッジに情報を記録再生するための情報記録再生方法であって、
前記位置決め部と前記対応位置決め部とを嵌合または緩嵌させることにより、前記特定のギア歯と、前記特定の係合ギア歯とを係合させる係合工程と、
前記磁気テープに情報を記録し、または、記録された情報を再生する記録再生工程と、を含む情報記録再生方法。
【請求項１４】
記録再生装置のリール係合部が有する複数の係合ギア歯のうちの特定の係合ギア歯と、磁気テープが巻回されうる磁気テープ用リールの複数のギア歯のうちの特定のギア歯とを係合させるための位置決め機構であって、
前記磁気テープ用リールは、凹部および凸部のうちの少なくとも一方からなる位置決め部を含み、
前記リール係合部は、前記位置決め部と嵌合または緩嵌し得る、凸部および凹部のうちの少なくとも一方からなる対応位置決め部を含み、
前記位置決め部と前記対応位置決め部とが嵌合または緩嵌することによって、前記特定の係合ギア歯と前記特定のギア歯とが係合される位置決め機構。
【発明の詳細な説明】
【技術分野】
【０００１】
本発明は、磁気テープ用リール、それを用いたテープカートリッジ、当該テープカートリッジに情報を記録再生するための記録再生装置、およびその情報記録再生方法、並びに記録再生装置のリール係合部と磁気テープ用リールとの係合ための位置決め機構に関する。
【背景技術】
【０００２】
図２１は、従来のテープカートリッジの内部構造を示す断面図であり、図２２は、図２１に示したテープカートリッジの内部を説明する平面図である。ただし、図２２において、図２１に記載されたケース１０１を構成する第１容器１０１ｂは省略されている。
【０００３】
図２１および図２２に示すように、上フランジおよび下フランジを有する磁気テープ用リール１０２（以下、「リール」と呼ぶ。）が回転可能にケース１０１内に収納されている。リール１０２は、軸１２７を介して作用する圧縮コイルバネ１２８により、図２１において上方に押圧付勢されている。磁気テープ１０３を走行させるためには、まず、記録再生装置のリール係合部１０８が有する複数の係合ギア歯と、リール１０２の複数のギア歯とが係合される。複数のギア歯のうちの所定のギア歯と係合する係合ギア歯は決っておらず、上記所定のギア歯が係合する係合ギア歯は、リール係合部１０８とリール１０２との係合の度に異なる。
【０００４】
次いで、リール１０２がリール係合部１０８によって、第１容器１０１ａ側に持ち上げられる。そして、リール１０２は、第２容器１０１ｂから若干離れた位置で回転される。リール１０２が回転すると、磁気テープ１０３はリール１０２に巻き取られ、またはリール１０２から繰り出される。図２２に示すように、テープの繰り出し端には、金属製の先導体１０６が固定されている。テープカートリッジが記録再生装置の格納部に装填されると、先導体１０６が、記録再生装置の先導体捕捉部によって捕捉され、次いで、磁気テープ６が引き出され、先導体１０６がドライブリールに取り付けられる。このようにして、磁気テープ１０３は、ガイドローラ１０４を含む記録再生装置の走行系へ供給される（例えば、特許文献１参照）。
【特許文献１】特開２００６−０８５７４５号
【発明の開示】
【発明が解決しようとする課題】
【０００５】
リール係合部の複数の係合ギア歯の数と、これに対応して設けられたリールの複数のギア歯の数は、ともに数十〜百数十枚である。係合ギア歯およびギア歯の全てを精度よく成形することは大変難しい。実際、各係合ギア歯および各ギア歯の形状を測定すると、歯の高さ、斜面角度等において、数十ミクロン〜数百ミクロンの成形誤差が確認できる。この成形誤差の存在により、リール係合部とリールとが係合した状態のときに、リールは、任意の方向に傾き、または、ケース内における位置が、リール係合部との係合の度に若干異なる。そのため、磁気テープの走行位置がばらついたり、リールにおけるテープの巻回位置がばらつき、これらにより、例えば、上フランジおよび下フランジのうちの一方にテープのエッジが触れやすくなる。テープのエッジがフランジに触れと、エッジが折れる等のダメージを受ける恐れがあり、これにより、ローディング時等にエラーが起こりやすくなる。
【０００６】
本発明では、繰り返し行なわれるリール係合部とリールとの係合に関して、リール係合部とリールとが係合した状態におけるリールの姿勢や位置等のばらつきを抑制可能とするリール、それを用いたテープカートリッジ、当該テープカートリッジに情報を記録再生するための記録再生装置、およびその情報記録再生方法、並びに記録再生装置のリール係合部と磁気テープ用リールとの係合ための位置決め機構を提供する。
【課題を解決するための手段】
【０００７】
本発明の磁気テープ用リールは、記録再生装置のリール係合部が有する複数の係合ギア歯と係合可能な複数のギア歯を有し、磁気テープが巻回されうる磁気テープ用リールであって、前記磁気テープが巻回されうる筒状部分と、前記複数のギア歯とを含むハブ部と、前記複数のギア歯のうちの特定のギア歯と前記複数の係合ギア歯のうちの特定の係合ギア歯との位置合わせのために設けられ、凹部および凸部のうちの少なくとも一方からなる位置決め部とを含む。
【０００８】
本発明のテープカートリッジは、本発明の磁気テープ用リールと、前記磁気テープ用リールに巻回された磁気テープと、前記磁気テープ用リールと前記磁気テープとを収容する空間を有し、前記磁気テープ用リールの前記複数のギア歯をその外に露出可能とする開口部を有するケースとを含む。
【０００９】
本発明の記録再生装置は、本発明のテープカートリッジに情報を記録再生するための記録再生装置であって、前記テープカートリッジを格納可能とする格納部と、前記磁気テープに情報を記録可能とし、記録された情報を再生可能とする磁気ヘッドと、前記磁気テープ用リールの前記複数のギア歯と係合可能な前記複数の係合ギア歯を有する前記リール係合部と、前記リール係合部に設けられ、前記磁気テープ用リールの前記位置決め部と嵌合または緩嵌し得る対応位置決め部と、前記リール係合部を回転可能とする回転機と、前記リール係合部と前記回転機との間に配置されて、前記回転機による回転運動を前記リール係合部に伝達可能とし、上下動可能に前記回転機によって支持された回転軸と、前記リール係合部を前記リール側へ付勢する付勢部とを含み、前記対応位置決め部と前記位置決め部とを嵌合または緩嵌させると、前記特定のギア歯と前記特定の係合ギア歯との係合がなされるように、前記対応位置決め部が前記リール係合部に設けられている。
【００１０】
本発明の情報記録再生方法は、本発明の前記テープカートリッジに情報を記録再生するための情報記録再生方法であって、前記位置決め部と前記対応位置決め部とを嵌合または緩嵌させることにより、前記特定のギア歯と、前記特定の係合ギア歯とを係合させる係合工程と、前記磁気テープに情報を記録し、または、記録された情報を再生する記録再生工程と、を含む。
【００１１】
本発明の位置決め機構は、記録再生装置のリール係合部が有する複数の係合ギア歯のうちの特定の係合ギア歯と、磁気テープが巻回されうる磁気テープ用リールの複数のギア歯のうちの特定のギア歯とを係合させるための位置決め機構であって、前記磁気テープ用リールは、凹部および凸部のうちの少なくとも一方からなる位置決め部を含み、前記リール係合部は、前記位置決め部と嵌合または緩嵌し得る、凸部および凹部のうちの少なくとも一方からなる対応位置決め部を含み、前記位置決め部と前記対応位置決め部とが嵌合または緩嵌することによって、前記特定の係合ギア歯と前記特定のギア歯とが係合される。
【発明の効果】
【００１２】
本発明によれば、繰り返し行なわれるリール係合部とリールとの係合について、リール係合部とリールとが係合した状態におけるリールの姿勢や位置等のばらつきを抑制可能とするリール、それを用いたテープカートリッジ、当該テープカートリッジに情報を記録再生するための記録再生装置、およびその情報記録再生方法、並びに位置決め機構を提供できる。
【発明を実施するための最良の形態】
【００１３】
（実施形態１）
実施形態１では、本発明の磁気テープ用リールの一例、およびそれを用いたテープカートリッジの一例について説明する。
【００１４】
図１は、本実施形態のテープカートリッジの一例の斜視図であり、図２は、図１に示したテープカートリッジのＩ−Ｉ’拡大断面図である。尚、図１および図２では、説明の都合上、第１容器２ａが第２容器２ｂの下に配置されているが、通常の使用では、第１容器２ａが第２容器２ｂの上に配置された状態で使用されることが多い。
【００１５】
図１に示す本実施形態のテープカートリッジ１は、図２に示すように、ケース２と、ケース２内に収納された磁気テープ６（以下単に「テープ６」と呼ぶ場合もある。）とを備えている。ケース２は、第１容器２ａと第２容器２ｂとが、内部空間を形成するように互いに合され、ビス等により締結されて形成されている。テープ６は、ケース２内に回転可能に収容された磁気テープ用リール７（以下、「リール」と略する場合もある。）に巻き付けられており、リール７から繰り出され、ケース２のテープ出入口（図示せず）からケース２外へ引き出されうる。テープ６の繰り出し端には、金属製の先導体（図示せず）が固定されており、テープカートリッジを記録再生装置の格納部に装填すると、先導体が、記録再生装置の先導体捕捉部によって捕捉され、次いで、テープ６が引き出され、先導体がドライブリールに取り付けられる。
【００１６】
ケース２内において、リール７は、軸２７を介して作用する圧縮コイルバネ２８等のバネ状弾性体により、図２において上方に押圧付勢されている。これにより、不使用時のリール７の遊転が防止されている。尚、第１容器２ａの底部のほぼ中央には、その外径が圧縮コイルバネ２８の内径よりも小さいガイド突起１９が設けられている。このガイド突起１９が圧縮コイルバネ２８の内腔内に挿入されることにより、圧縮コイルバネ２８の位置ずれが抑制されている。
【００１７】
図３に示すように、リール７は、例えば、テープが巻かれる筒状部分をするハブ部７ａと、ハブ部７ａの一方の端部に例えば一体成形された円盤状の第１フランジ７ｂと、ハブ部７ａの他方の端部に例えば溶着固定された第２フランジ７ｃとを有する。ハブ部７ａは、例えば、空洞を有した略有底円筒体である。
【００１８】
ハブ部７ａの底部７１の外表面７１１には、複数のギア歯９（図４参照）が、周方向に沿って放射状に形成されている。この複数のギア歯９は、記録再生装置のリール係合部１１が有する複数の係合ギア歯３２（図６参照）と係合可能である。
【００１９】
複数のギア歯９は、ハブ部の底部７１の外周の近くに形成されていると好ましい。この場合、リール７の回転角度に対する各ギア歯９の円周方向の移動距離が大きくなるので、リール７が高速回転された場合であっても、リール７とリール係合部１１との係合を確実に保持できる。図１および図２に示すように、ハブ部７ａの底部７１の外表面７１１は、第２容器２ｂの底部の開口部２１ｂからケース２外に露出されている。この開口部２１ｂからケース２内に挿入されるリール係合部１１の複数の係合ギア歯３２（図６参照）にリール７の複数のギア歯９が係合された状態で、リール７は回転する。リール７が回転すると、テープ６がリール７に巻き取られ、またはリール７から繰り出される。
【００２０】
図４は、図１および図２に示したテープカートリッジを構成するリール７の一例の平面図であり、図５は斜視図である。図４および図５に示すように、ハブ部の底部７１には、位置決め部４が形成されている。この位置決め部４は、高さが複数のギア歯９より高い凸部（例えば、突起）からなる。位置決め部４は、例えば、ハブ部と同一材料からなり、ハブ部の成形時にハブ部と一体成形される。
【００２１】
位置決め部４の形状については、後述するリール係合部に設けられた対応位置決め部１２（図７、図８参照）と、例えば、嵌合可能であり、かつ、対応位置決め部１２からスムーズに抜くことが出きれば特に制限はないが、例えば、ピン形状が挙げられる。また、位置決め部４の形状は、特定のギア歯９と特定の係合ギア歯３２（図６参照）とを常に係合させることができる限りにおいて、対応位置決め部１２と、緩嵌可能な形状をしていてもよい。
【００２２】
図２に示すように、位置決め部４は、テープカートリッジ１をケース２の開口部２１ｂが形成された壁の外表面と平行な方向から見た時に、見えないようにリール７の底部７１に形成されていると好ましい。すなわち、位置決め部４の高さは、位置決め部４の先端が上記外表面から突出しないように設定されていると好ましい。この場合、位置決め部４の破損等が抑制される。
【００２３】
一方、図６に示すように、後述する記録再生装置のリール係合部１１の、リールの外表面７１１と向い合う面には、凹状の対応位置決め部１２が設けられている。なお、図６は、駆動軸１６の斜視図であり、駆動軸１６は、リール係合部１１と、リール係合部を回転可能とする回転機１３と、リール係合部１１と回転機１３との間に配置されて、回転機１３による回転運動をリール係合部１１に伝達可能とし、上下動可能に回転機１３によって支持された回転軸１５と、リール係合部１１および回転軸１５をリール側へ付勢する付勢部１７（図７参照）とを備えている。回転機１３は、リール係合部１１を回転可能とする例えばモーター等を備えている。
【００２４】
図７および図８は伴に、リール７と、リール係合部１１との位置合わせの様子を説明する模式図である。図７は、位置合わせがなされていない状態を示し、図８は、位置合わせがなされた状態を示している。図７および図８に示すように、リール係合部１１は、例えばバネ状弾性体等の付勢部 １７によって常時リール７側へ付勢されている。図７では、位置決め部４と対応位置決め部１２との位置合わせがなされおらず、リール７のギア歯と駆動軸１６の係合ギア歯の係合はなされていない。回転軸１５を介して回転機１３によりリール係合部１１をゆっくりと回転させると、位置決め部４と対応位置決め部１２との位置合わせが成されると同時に、付勢部 １７による付勢圧によってリール係合部１１および回転軸１５がリール７側に移動し、回転機１３の内部に収納されていた回転軸１５の一部が、回転機１３の外に現れる。そして、位置決め部４と対応位置決め部１２とが嵌合または緩嵌し、複数のギア歯９（図５参照）のうちの特定のギア歯と、複数の係合ギア歯３２（図６参照）のうちの特定の係合ギア歯とが係合し、複数のギア歯と複数のギア歯とが係合する。なお、特定のギア歯は他のギア歯９と同じものであり、特定の係合ギア歯は他の係合ギア歯と同じものである。
【００２５】
なお、後述するように、例えば、リール７側への移動するリール係合部１１が、記録再生装置のリール係合部位置検知部７０（図１８参照）によって検知されると、リール係合部１１の回転の停止が行なわれる。
【００２６】
なお、後述するように、リール係合部位置検知部７０によりリール係合部が検知された後、それを認識した制御部６７から回転機６５に対して、回転を停止させる旨の信号が送信されるので（図１８等参照）、リール係合部位置検知部によりリール係合部が検知された後、回転機６５が停止するまでに所定の時間がかかる。例えば、この所定の時間を無視できるほどに、回転機６５の回転速度を低速にすれば、特定のギア歯と特定の係合ギア歯との位置合わせ、および係合が可能となる（図１８参照）。
【００２７】
回転機６５の回転速度を低速にすることに代えて、例えば、下記のようにして、特定のギア歯９と特定の係合ギア歯３２との位置合わせをしてもよい。
【００２８】
図９に、本実施形態のリールのさらに別の例と、それに対応するリール係合部との位置合わせの様子を説明する模式図を示している。この一例では、対応位置決め部１２の凹面が、中央がその周縁よりも深くなった階段構造を有しており、対応位置決め部１２は、位置決め部４が嵌合または緩嵌され得る受容凹部１２ａと、その周囲に存在する段差部１２ｂとを有している。対応位置決め部１２がこのような構造をしている場合、リール係合部１１は、付勢部によってリール７側に常に付勢されているので、位置決め部４が段差部１２ｂと向い合うと、リール係合部１１のリール７側への移動が開始される。この段階で、リール係合部位置検知部７０によりリール係合部１１が検知されれば、リール係合部１１の回転を停止させるための制御時間をより長く確保できる。そのため、リール係合部１１の回転速度が、対応位置決め部１２の形状が、位置決め部４の形状にほぼ対応している場合より（図７および図８等参照）より速くても、位置決め部と対応位置決め部とを正確に嵌合または緩嵌させることができる。          
【００２９】
このように、繰り返し行なわれるリール係合部１１とリール７との係合において、常に、特定のギア歯と特定の係合ギア歯との係合が可能であれば、リール係合部１１に係合した状態のリール７の姿勢、位置等は、常に一定となる。そのため、ギア歯９および／または係合ギア歯３２の成形誤差等が原因で、ケース２内におけるリール７の姿勢や位置等が、リール係合部１１とリール７との係合の度に異なることを抑制できる。その結果として、磁気テープ６の走行位置のばらつきを抑制できる。これにより、テープのエッジがフランジに触れる等してダメージを受けることが抑制され、よって、ローディング時等にエラーが起こることも抑制される。
【００３０】
位置決め部４は、ハブ部と同一材料からなり、ハブ部と共に一体成形されるものであってもよいが、ハブ部の材料よりも硬い材料にて形成されてもよい。これにより、リール係合部１１が金属製である場合に、位置決め部４が削られることが抑制される。この場合、図１０に示すように、位置決め部４は、インサート形成法により成形してもよいし、異材質成形法によりハブ部に接着されてもよい。あるいは、ハブ部に対して嵌合固定されてもよい。なお、図１０において図の簡略化のためにギア歯は省略している。
【００３１】
位置決め部４の形成位置は、対応位置決め部１２と嵌合または緩嵌可能であり、かつ、位置決め部４と対応位置決め部１２とが嵌合または緩嵌した時に、特定のギア歯と特定の係合ギア歯とが係合される限りにおいて、特に制限はない。例えば、図１１に示すように、位置決め部４は、複数のギア歯９の外側に形成されていてもよい。この場合、リールの回転角度に対する位置決め部４の円周方向の移動距離がより大きくなるので、リールの回転をより精度良く制御できる。具体的には、例えば、リール７がハブ部７ａの外周から径方向に張り出したフランジ７ｃを備えている場合、位置決め部４は、当該フランジ７ｃに形成されていてもよい。
【００３２】
図１１に記載のリール７に対しては、例えば、図１２に示すように、駆動軸を構成するリール係合部１１が、例えば、回転軸１５の軸方向に対して直交する平面を有したつば部１１ａをさらに備え、つば部１１ａの位置決め部と対応する位置に、対応位置決め部１２が形成されていると好ましい。
【００３３】
図１１に示すように、複数のギア歯９は、ハブ部７ａの筒状部分の内面に形成されていてもよい。
【００３４】
図１３のＡはリールの他の一例の正面模式図あり、Ｂは底面模式図である。図１３において図の簡略化のために複数のギア歯は省略している。
【００３５】
図１３に示すように、リール７は、周方向に等間隔に配置され、または、ハブ部７ａの底部の外表面を平面視力したときに見える中心を対称中心として、相互に対称な位置関係で配置された、ほぼ同一形状の位置決め部４を複数個備えていてもよい。この場合、１つの特定のギア歯に対して、２つの特定の係合ギア歯が係合し得る。このように、特定のギア歯と特定の係合ギア歯とが１対１ではなく、１対複数の関係にあってもよい。この場合でも、繰り返し行なわれるリール係合部とリールとの係合において、特定のギア歯に対して係合可能な係合ギア歯の数が制限されるので、磁気テープの走行位置のばらつきを抑制できる。位置決め部４の数については、本発明の効果が発揮される限りにおいて特に制限はないが、１〜 ４個程度が適当である。
【００３６】
このように、リール７が位置決め部４を複数個備える場合、リール係合部は、何れの位置決め部４とも嵌合または緩嵌可能な対応位置決め部を有していることを要する。
【００３７】
図１４のＡは、リールの他の一例の正面模式図であり、ＢはＡの底面模式図である。図１４において図の簡略化のために複数のギア歯は省略している。
【００３８】
図１４に示すように、位置決め部４は、不規則に配置された複数の凸部４ａ，４ｂ，４ｃから構成されていてもよい。複数の凸部４ａ，４ｂ，４ｃは、例えば、相互に非対称な関係、不等間隔な関係、またはハブ部の底部外表面の中心からの距離が各々異なる関係で配置される。複数の凸部４ａ，４ｂ，４ｃは、不規則に配置されるとともに、または、不規則に配置されることに代えて、相互に形状が異なっていてもよい。上記凸部の数については特に制限はない。図１４に示したリールが有する位置決め部４の数は１つであるから、特定のギア歯と特定の係合ギア歯とは１対１の関係にある。リール係合部１１にあっては、複数の凹部から構成された対応位置決め部１２を有し、複数の凹部は、複数の凸部４ａ，４ｂ，４ｃと対応する位置、および形状に形成されていることを要する。
【００３９】
図１５のＡは、リールのさらに別の一例の正面模式図であり、ＢはＡの底面模式図である。
【００４０】
図１５に示すように、複数のギア歯９は、周方向に離間した領域１４内に分かれて形成されている。ハブ部の底部外表面には、複数の凸部４ａ，４ｂ，４ｃからなる位置決め部４か形成されている。各凸部４ａ，４ｂ，４ｃは、ハブ部７ａの底部外表面の中心と各ギア歯９とを結ぶ直線上を避けて形成されている。この場合、下記の理由により、例えば、射出成形法等の成形方法にて成形されるハブ部の成形精度を高めることができ、好ましい。
【００４１】
ハブ部を射出成形法等の方法で成形する際、ハブ部の成形精度を高めるためには、樹脂材料が射出成形金型内の全域に渡ってスムーズに充填されることが望ましい。樹脂材料は、まず、射出成形金型のゲートから、射出成形金型内のハブ部の底部外表面のほぼ中央となる箇所に流入され、流入した樹脂材料は、そこから、放射状に流れて、射出成形金型内に行渡る。位置決め部４を構成する各凸部が、ハブ部の底部外表面の中心と各ギア歯９とを通る直線上を避けるように形成されるのであれば、金型内の上記各凸部に対応する窪み部分の存在に起因して生じうる樹脂材料の流れの乱れが、ギア歯９の成形におよぼす悪影響を低減できる。よって、ハブ部の成形精度を低下させることなく、位置決め部４を備えたリールを形成できる。
【００４２】
複数の領域１４は、安定した係合を確保する観点から、周方向に等間隔で存在していると好ましい。領域１４の数は、係合強度を確保する観点から３つ以上あると好ましい。
【００４３】
このように、リール係合部１１とリール７との十分な係合強度が確保される範囲内において、歯数を減らし、ギア歯９の成形精度を高めれば、リール７がリール係合部１１に係合した時にリール７が傾くこと等が抑制されるので、磁気テープの走行状態をより所望の状態にすることができる。具体的には、リール７が傾くこと等に起因する、走行中の磁気テープの捩じれ等を抑制できる。
【００４４】
図１３に示した例のように、リール７が複数の位置決め部４を備えている場合も、ハブ部７ａの成形精度の低下を抑制する観点から、各位置決め部は、ハブ部の底部外表面の中心と各ギア歯とを通る直線上を避けて形成されていると好ましい。
【００４５】
なお、図１〜図１５を用いて説明した例では、位置決め部４がいずれも１以上の凸部（例えば、突起）からなるが、図１６に示すように、凹部であってもよいし、凹部は１つ以上であってもよい。この場合、対応位置決め部１２は、上記凹部と嵌合または緩嵌可能な１以上の凸部であることを要する。また、図１７に示すように、位置決め部４は、１以上の凹部４ａと１以上の凸部４ｂとから構成されていてもよい。この場合、対応位置決め部１２は、上記凹部４ａと嵌合または緩嵌可能な凸部１２ｃと、上記凸部４ｂと嵌合または緩嵌可能な凹部１２ｄとから構成されていることを要する。
【００４６】
（実施形態２）
実施形態２では、本発明の記録再生装置の一例、および本発明の情報記録再生方法の一例について説明する。
【００４７】
図１８に示すように、本実施形態の記録再生装置は、格納部６１と、駆動軸６００と、ドライブリール６３と、磁気ヘッド６４と、外部入力部６８と、制御部６７と、先導体捕捉部６９と、リール係合部位置検知部７０とを含んでいる。駆動軸６００は、回転機６５と、回転軸６６と、リール係合部６２と、付勢部７１とを備えている。
【００４８】
格納部６１は、例えば、実施形態１のテープカートリッジ１００を格納可能とする。格納部６１の機能および構成は、従来の記録再生装置のそれと同様でよく、格納部６１は、例えば、テープカートリッジ１００が格納部６１内に装填されたことを認識してこれを制御部６７に伝える構成および機能を有する。また、格納部６１は、外部入力部６８によるテープカートリッジ１００の取り出し命令を、制御部６７を介して認識し、上記命令を実行する構成および機能を有する。
【００４９】
駆動軸６００は、制御部６７からの指示を受けて、リール係合部６２とリール１０７とを係合させ、例えば、ケース内のリール１０７をドライブ走行系に沿う位置まで持ち上げ可能とする。リール係合部６２は、回転軸６６を介して、制御部６７からの指示を受けた回転機６５によって、テープを繰り出す方向、または、巻き取る方向に回転されうる。
【００５０】
回転機６５は、制御部６７からの指示信号を受信して、回転軸６６を介してリール係合部６２を回転させる。この回転機６５は、情報の記録再生時にリール係合部６２を回転させる回転機も兼ねている。
【００５１】
先導体捕捉部６９は、制御部６７の指示により、テープカートリッジ１００内の先導体を捕捉し、テープを引き出して先導体をドライブリール６３へセット可能とする。また、先導体捕捉部６９は、制御部６７の指示により、先導体の捕捉の解除を可能とする。
【００５２】
ドライブリール６３は、テープカートリッジ１００から供給されるテープ１０６を巻き取り可能とする。ドライブリール６３の機能および構成は、例えば、従来の記録再生装置のそれと同様でよい。ドライブリール６３は、ドライブリール６３を構成する回転機によって、テープ１０６を巻き取る方向、または、繰り出す方向に回転可能とする。
【００５３】
リール係合部位置検知部７０は、リール係合部６２を検知可能とし、得られた検知信号を制御部６７へ送信可能とする構成および機能を有する。具体的には、リール係合部位置検知部７０は、例えば、受光部と発光部とを備えたセンサーを含み、発光部から発光された光の反射光の変化を受光部でモニターすることにより、所定の位置におけるリール係合部６２の有無を検知できる。
【００５４】
磁気ヘッド６４の機能および構成は、例えば、従来の記録再生装置のそれと同様でよく、テープカートリッジ１００のテープ１０６に対して情報を記録し、記録した情報を再生可能とする。
【００５５】
外部入力部６８の機能および構成は、例えば、従来の記録再生装置のそれと同様でよく、テープ１０６への情報の記録、テープ１０６に記録された情報の再生、または、記録再生装置からのテープカートリッジの取り出し等を、制御部６７に指示するために、ユーザーにより操作される。
【００５６】
次に、図１８〜図２０を用いて、本発明の記録再生装置の一例の動作を説明する。
【００５７】
図１８に示すように、まず、格納部６１にテープカートリッジ１００を挿入すると、格納部６１はテープカートリッジ１００が装填されたことを認識し、これを制御部６７に信号として伝える（Ｓ１）。この認識は、例えば、センサー等によって行える（図１９参照）。
【００５８】
次に、制御部６７からの指示信号を受けた格納部６１は、カートリッジ１００を駆動軸６００に近づけて、リール１０７の位置決め部１０４を、リール係合部６２に当接させ、リール係合部６２を所定長押し下げる（図２０Ａ〜Ｃ参照）。それとともに、制御部６７から、リール係合部位置検知部７０に対して、リール係合部６２の検知を開始する旨の指示信号が送信される。位置決め部１０４と対応位置決め部１１２との嵌合または緩嵌がなされていない場合、すなわち、リール係合部位置検知部７０によるリール係合部６２の検知信号が制御部６７に受信されていない場合は、制御部６７から回転機６５に対してリール係合部６２を回転させる旨の信号が送信される。この信号の送信は、例えば、制御部６７から格納部６１に対してカートリッジ１００を駆動軸６００に近づける旨の指示信号が送信された後、所定時間経過してもリール係合部位置検知部７０からの検知信号を受信しない場合に行われるように、制御部６７に設定しておけばよい。リール係合部６２は、付勢部７１によってリール１０７側へ付勢され続けている。嵌合または緩嵌の有無の制御部６７による認識、および、回転機６５によるリール係合部６２の回転は、制御部６７により検知信号が受信されるまで、連続的に行なわれる。リール係合部位置検知部７０によりリール係合部６２が検知されると、これに同期して、位置決め部１０４と対応位置決め部１１２とが嵌合または緩嵌され、特定のギア歯と特定の係合ギア歯との係合がなされ（図２０Ｄ、Ｅ参照）、かつ、複数のギア歯と複数の係合ギア歯との係合がなされる（Ｓ２）。
【００５９】
なお、リール係合部位置検知部７０によりリール係合部６２が検知された後、リール係合部６２を検知した旨の検知信号が制御部６７へと送られる。それを認識した制御部６７から回転機６５に対して、回転を停止させる旨の信号が送信され回転機６５の回転が停止されるが、回転機６５の回転速度は、例えば、上記回転の停止に要する制御時間を無視してよい程に低速にすればよい。
【００６０】
次ぎに、制御部６７より、駆動軸６００、ドライブリール６３、および先導体捕捉部６９のそれぞれに待機状態指示信号が送信される。制御部６７には、例えば、上記回転停止の指示信号の送信後、それぞれに対して、所定時間経過後に上記待機状態指示信号が送信されるように、設定しておけばよい。この信号を受けた駆動軸６００は、ケース内のリール１０７をドライブ走行系に沿う位置まで持ち上げる。
【００６１】
次いで、先導体捕捉部６９によってテープカートリッジ１００内の先導体が捕捉され、テープの一部が引き出され、先導体がドライブリール６３にセットされると、回転機６５とドライブリール６３とが同時に回転し始め、リール１０７から所定長さのテープ１０６が繰り出される。繰り出された所定長さのテープはドライブリール６３によって巻き取られ、テープカートリッジ１００は、外部入力待機状態となる。制御部６７には、先導体のドライブリール６３へのセットに要する時間経過後に、回転機６５およびドライブリール６３の回転機に対して待機状態指示信号（回転指示信号）が送信されるように、設定しておけばよい。（Ｓ３）。
【００６２】
次に、外部入力部６８により、例えば、情報の記録または再生指示がなされると（Ｓ４）、その指示信号が、制御部６７を介して、回転機６５、ドライブリール６３、および磁気ヘッド６４に送信される。すると、回転機６５はテープ１０６を繰り出す方向に回転し、ドライブリール６３は繰り出されたテープ１０６を巻き取る方向に回転する。磁気ヘッド６４はテープ１０６に対して情報の記録または再生を開始する（Ｓ５）。
【００６３】
次に、外部入力部６８により、記録または再生終了指示がなされると、その指示信号が、制御部６７により、回転機６５、ドライブリール６３、および磁気ヘッド６４に送信される。すると、回転機６５、およびドライブリール６３はその回転が停止され、磁気ヘッド６４による記録再生が停止される。これにより、記録再生装置およびテープカートリッジ１００は再度外部入力待機状態となる（Ｓ６，Ｓ７）。
【００６４】
次に、外部入力部６８により、テープカートリッジ１００の取り出し指示がなされ（Ｓ８）、その指示信号が、制御部６７により、駆動軸６００、およびドライブリール６３に送信される。すると、回転機６５およびドライブリール６３が回転して、リール１０７にテープ１０６が完全に巻き取られる。テープ１０６の巻き取りの終了と同時に先導体捕捉部６９による先導体の捕捉が解除され、先導体はカートリッジ内の所定の場所に戻される。
【００６５】
先導体捕捉部６９による先導体の捕捉が解除されると、制御部６７から送信される係合解除信号を駆動軸６００が受けて、駆動軸６００がリール１０７から離れる方向に移動し、リール係合部６２とリール１０７との係合が解除される。次いで、格納部６１からのテープカートリッジが排出される（Ｓ９）。制御部６７には、リール係合部６２とリール１０７との係合の解除に要する時間経過後に、格納部６１へテープカートリッジ排出信号が送信されるように、設定しておけばよい。
【００６６】
実施形態１では、１つのリールを備えたテープカートリッジを例に挙げて本発明のテープカートリッジの一例を説明したが、本発明のテープカートリッジはこれに限定されず、リールを２個備えていてもよい。この場合は、記録再生装置は、ドライブリールを備えていないくてもよい。
【００６７】
以上のとおり、本発明によれば、繰り返し行なわれるリール係合部１１とリール７との係合において、リール係合部と係合した状態のリールの姿勢や位置等のばらつきを抑制可能とするリール、およびそれを用いたテープカートリッジ、当該テープカートリッジに情報を記録再生するための記録再生装置、およびその情報記録再生方法、並びに記録再生装置のリール係合部と磁気テープ用リールとの係合ための位置決め機構を提供できる。
【産業上の利用可能性】
【００６８】
本発明では、磁気テープの走行位置のばらつきを抑制できるので、テープのエッジが折れる等のダメージを受ける恐れが抑制でき、よって、ローディング時等にエラーが起こることを抑制できる。ゆえに、本発明は、磁気テープ用リール、磁気テープカートリッジ、記録再生装置、情報記録再生方法の分野において有用である。
【図面の簡単な説明】
【００６９】
【図１】本実施形態のテープカートリッジの一例を示した斜視図
【図２】図１に示したテープカートリッジのＩ−Ｉ'拡大断面図
【図３】図１に示したテープカートリッジを構成するリールの断面図
【図４】図１に示したテープカートリッジを構成するリールの平面図
【図５】図１に示したテープカートリッジを構成するリールの斜視図
【図６】本実施形態の記録再生装置の一例を構成する駆動軸の一例の斜視図
【図７】本実施形態のリールの一例と、それに対応するリール係合部との位置合わせの様子を説明する模式図
【図８】本実施形態のリールの他の例と、それに対応するリール係合部との位置合わせの様子を説明する模式図
【図９】本実施形態のリールさらに別の例と、それに対応するリール係合部との位置合わせの様子を説明する模式図
【図１０】Ａは、本実施形態のリールの他の例の正面模式図、ＢはＡに示したリールの底面模式図
【図１１】Ａは、本実施形態のリールの他の例の正面模式図、ＢはＡに示したリールの底面模式図
【図１２】本実施形態の記録再生装置の一例を構成する駆動軸の他の一例の正面模式図
【図１３】Ａは、本実施形態のリールの他の例の正面模式図、ＢはＡに示したリールの底面模式図
【図１４】Ａは、本実施形態のリールの他の例の正面模式図、ＢはＡに示したリールの底面模式図
【図１５】Ａは、本実施形態のリールの他の例の正面模式図、ＢはＡに示したリールの底面模式図
【図１６】本実施形態のリールさらに別の例と、それに対応するリール係合部との位置合わせの様子を説明する模式図
【図１７】本実施形態のリールさらに別の例と、それに対応するリール係合部との位置合わせの様子を説明する模式図
【図１８】本実施形態の記録再生装置の一例を説明するブロック図
【図１９】本実施形態の情報記録再生方法の一例を説明するフローチャート
【図２０】Ａ〜Ｅは、本実施形態のリールと、リール係合部との位置合わせの様子を説明する模式図
【図２１】従来のテープカートリッジの一例を示した断面図
【図２２】従来のテープカートリッジの内部構造を説明する平面図
【符号の説明】
【００７０】
１，１００        テープカートリッジ
２                ケース
２ａ              第１容器
２ｂ              第２容器
４、１０４        位置決め部
６                磁気テープ
７                磁気テープ用リール
７ａ              ハブ部
７ｂ              第１フランジ
７ｃ              第２フランジ
９                ギア歯
１１、６２        リール係合部
１２、１１２      対応位置決め部
１３、６５        回転機
１５、６６        回転軸
２１ｂ            開口部
３２              係合ギア歯
６１              格納部
６３              ドライブリール
６４              磁気ヘッド
６７              制御部
６８              外部入力部
６９              先導体捕捉部
７０              リール係合部位置検知部
７１              付勢部
【図１】
0004887236.tif 000002
【図２】
0004887236.tif 000003
【図３】
0004887236.tif 000004
【図４】
0004887236.tif 000005
【図５】
0004887236.tif 000006
【図６】
0004887236.tif 000007
【図７】
0004887236.tif 000008
【図８】
0004887236.tif 000009
【図９】
0004887236.tif 000010
【図１０】
0004887236.tif 000011
【図１１】
0004887236.tif 000012
【図１２】
0004887236.tif 000013
【図１３】
0004887236.tif 000014
【図１４】
0004887236.tif 000015
【図１５】
0004887236.tif 000016
【図１６】
0004887236.tif 000017
【図１７】
0004887236.tif 000018
【図１８】
0004887236.tif 000019
【図１９】
0004887236.tif 000020
【図２０】
0004887236.tif 000021
【図２１】
0004887236.tif 000022
【図２２】
0004887236.tif 000023